(57)【要約】【課題】本発明は護身懐中電灯を開示した。【解決手段】主体を含み、前記主体の左端にはつまみ通電機構が設置され、前記主体の右側の表面にはスライドブロックがスライドできるように設置され、前記スライドブロックと前記主体の右端面との間がリミット空きチャンバを形成し、前記リミット空きチャンバの右端にはガラス電球カバーが固定的に設置され、前記スライドブロックには前記リミット空きチャンバに連通しており、且つ右方に開口した第一空きチャンバが上下対称的に設置され、前記主体の表面には前記第一空きチャンバの中に位置している固定ブロックが上下対称的に固定的に設置され、前記固定ブロックの中には内に開口した第一回転チャンバが設置され、本発明の護身懐中電灯は反応が速く、装置が簡単であり、同時に本発明装置を利用し、危険から身を守る時に相手の不意を撃ち、護身の効果がよく、安全で信頼できるのである。【選択図】図１
2020181797.tif 000002
【特許請求の範囲】
【請求項１】
正面視で、主体を含み、前記主体の左端にはつまみ通電機構が設置され、前記主体の右側の表面にはスライドブロックがスライドできるように設置され、前記スライドブロックと前記主体の右端面との間がリミット空きチャンバを形成し、前記リミット空きチャンバの右端にはガラス電球カバーが固定的に設置され、前記スライドブロックには前記リミット空きチャンバに連通しており、且つ右方に開口した第一空きチャンバが上下対称的に設置され、前記主体の表面には前記第一空きチャンバの中に位置している固定ブロックが上下対称的に固定的に設置され、前記固定ブロックの中には内に開口した第一回転チャンバが設置され、前記第一回転チャンバの中には回転軸が回転できるように設置され、前記回転軸には摩擦輪及び前記摩擦輪の前側に位置している第一リールが固定的に設置され、前記第一回転チャンバの外側端壁には左右に貫通している第一スライド溝が連通するように設置され、前記第一空きチャンバの左端壁には右方に開口した収納溝が設置され、前記収納溝と前記第一スライド溝との中には前記摩擦輪と接触している電撃針がスライドできるように設置され、前記収納溝の内側端壁には第一環状導電ブロックが固定的に設置され、前記主体の右側端壁には右方に開口した照明チャンバが設置され、前記照明チャンバの左端面には集光ライトが固定的に設置され、前記照明チャンバの右端には散光片が固定的に設置され、前記照明チャンバの上下端壁の中には第二回転チャンバが対称的に設置され、二つの前記第二回転チャンバの間には透光回転軸が回転できるように設置され、前記第二回転チャンバの中に位置している前記透光回転軸にはギヤ及び前記ギヤの外側に位置している第二リールが固定的に設置され、前記第二回転チャンバと前記第一回転チャンバとの間には紐溝が連通するように設置され、前記第二リールと前記第一リールとの間には前記紐溝を通した鋼線が連結され、前記照明チャンバの頂端に位置している前記第二回転チャンバの左端壁には右方に開口した第二スライド溝が設置され、前記第二スライド溝の中にはスライドロッドがスライドできるように設置され、前記スライドロッドの前端面には前記ギヤと噛み合っているラックが固定的に設置され、前記第二スライド溝の左端壁には電磁石が固定的に設置され、前記スライドロッドの左端面には前記電磁石と互いに反発し合うことができる永久磁石が固定的に設置され、前記永久磁石と前記電磁石の右端面との間には第一ばねが連結され、前記主体の頂面には前記電磁石と通電できるように連結されているスイッチが固定的に設置され、
従って、前記電磁石が前記永久磁石を排斥して前記ラックを右へスライド連動させ、前記ラックにより前記摩擦輪が前記電撃針を連動させて右へスライドさせ、且つ一定の距離まで出っ張らせ、即ち前記電撃針が前記第一空きチャンバから突き出て人体と接触して電撃を発生させることができることを特徴とする護身懐中電灯。
【請求項２】
前記つまみ通電機構は前記主体の左側に位置しており、且つ左方に開口した電池チャンバを含み、前記電池チャンバの中には電池が取り付けられ、前記電池チャンバの右端壁には前記電池の正極と接触している正極接触ヘッドが固定的に設置され、前記正極接触ヘッドと前記集光ライトとの間には第一電線が通電できるように連結され、前記主体の左側の外面には雄ねじが固定的に設置され、前記主体の左端には捻りブロックが設置され、前記捻りブロックの中には前記雄ねじと噛み合っている雌ねじが設置され、前記捻りブロックの中には右方に開口した第二空きチャンバが設置され、前記第二空きチャンバの中には前記電池の負極と接触している負極接触ヘッドがスライドできるように設置され、前記負極接触ヘッドと前記第二空きチャンバの左端壁との間には第二ばねが連結され、前記電池チャンバの外側端壁には左方に開口した環状空きチャンバが設置され、前記環状空きチャンバの右端には第二環状導電ブロックが固定的に設置され、前記第二環状導電ブロックと前記正極接触ヘッドとの間には第二電線が上下対称的に通電できるように連結され、前記正極接触ヘッドの頂端に位置している前記第二電線には前記第一環状導電ブロックと接触している導電シートが通電できるように連結され、前記負極接触ヘッドの右端面には前記環状空きチャンバの中に挿入されることができる第三環状導電ブロックが固定的に設置され、
それにより、前記捻りブロックを回転させ、前記捻りブロックが右へスライドして前記負極接触ヘッドを押し、前記負極接触ヘッドが前記第三環状導電ブロックを右へスライド連動させて前記第二環状導電ブロックと接触させ、この時、前記電池の正極と負極とが連通されて電流を形成し、電流が前記第一電線により前記集光ライトに入り、それにより前記集光ライトが照明し始め、同時に電流が前記導電シートにより前記第一環状導電ブロックの中に入り、それにより前記電撃針が通電して危険から身を守ることができることを特徴とする請求項１に記載の護身懐中電灯。
【発明の詳細な説明】
【技術分野】
【０００１】
本発明は懐中電灯分野に関わり、具体的には護身懐中電灯である。
【背景技術】
【０００２】
普通の懐中電灯は構成が簡単で、機能が単一で、夜は一番被害に遭いやすい時であり、被害者が強盗又は下手人を見た時、鞄の中からスタンガンなどの護身用品を取り出した時はすでに手遅れであり、そのため、照明すると同時に護身の機能を提供できる懐中電灯が必要となり、また懐中電灯は日用品として、つけられた護身機能が安全で信頼でき、操作が簡単なのが好ましく、従って、護身懐中電灯を設計して上記問題を解決する必要がある。普通の懐中電灯は構成が簡単で、機能が単一で、夜は一番被害に遭いやすい時であり、被害者が強盗又は下手人を見た時、鞄の中からスタンガンなどの護身用品を取り出した時はすでに手遅れであり、そのため、照明すると同時に護身の機能を提供できる懐中電灯が必要となり、また懐中電灯は日用品として、つけられた護身機能が安全で信頼でき、操作が簡単なのが好ましく、従って、護身懐中電灯を設計して上記問題を解決する必要がある。
【先行技術文献】
【特許文献】
【０００３】
【特許文献１】中国特許出願公開第１０１７９９１１９号明細書
【発明の概要】
【発明が解決しようとする課題】
【０００４】
本発明の解決しようとする技術問題は護身懐中電灯を提供し、既存技術にある上記問題を解決するのである。
【課題を解決するための手段】
【０００５】
本発明は以下の技術プランにより実現される：本発明の護身懐中電灯は、主体を含み、前記主体の左端にはつまみ通電機構が設置され、前記主体の右側の表面にはスライドブロックがスライドできるように設置され、前記スライドブロックと前記主体の右端面との間がリミット空きチャンバを形成し、前記リミット空きチャンバの右端にはガラス電球カバーが固定的に設置され、前記スライドブロックには前記リミット空きチャンバに連通しており、且つ右方に開口した第一空きチャンバが上下対称的に設置され、前記主体の表面には前記第一空きチャンバの中に位置している固定ブロックが上下対称的に固定的に設置され、前記固定ブロックの中には内に開口した第一回転チャンバが設置され、前記第一回転チャンバの中には回転軸が回転できるように設置され、前記回転軸には摩擦輪及び前記摩擦輪の前側に位置している第一リールが固定的に設置され、前記第一回転チャンバの外側端壁には左右に貫通している第一スライド溝が連通するように設置され、前記第一空きチャンバの左端壁には右方に開口した収納溝が設置され、前記収納溝と前記第一スライド溝との中には前記摩擦輪と接触している電撃針がスライドできるように設置され、前記収納溝の内側端壁には第一環状導電ブロックが固定的に設置され、前記主体の右側端壁には右方に開口した照明チャンバが設置され、前記照明チャンバの左端面には集光ライトが固定的に設置され、前記照明チャンバの右端には散光片が固定的に設置され、前記照明チャンバの上下端壁の中には第二回転チャンバが対称的に設置され、二つの前記第二回転チャンバの間には透光回転軸が回転できるように設置され、前記第二回転チャンバの中に位置している前記透光回転軸にはギヤ及び前記ギヤの外側に位置している第二リールが固定的に設置され、前記第二回転チャンバと前記第一回転チャンバとの間には紐溝が連通するように設置され、前記第二リールと前記第一リールとの間には前記紐溝を通した鋼線が連結され、前記照明チャンバの頂端に位置している前記第二回転チャンバの左端壁には右方に開口した第二スライド溝が設置され、前記第二スライド溝の中にはスライドロッドがスライドできるように設置され、前記スライドロッドの前端面には前記ギヤと噛み合っているラックが固定的に設置され、前記第二スライド溝の左端壁には電磁石が固定的に設置され、前記スライドロッドの左端面には前記電磁石と互いに反発し合うことができる永久磁石が固定的に設置され、前記永久磁石と前記電磁石の右端面との間には第一ばねが連結され、前記主体の頂面には前記電磁石と通電できるように連結されているスイッチが固定的に設置され、
従って、前記電磁石が前記永久磁石を排斥して前記ラックを右へスライド連動させ、前記ラックにより前記摩擦輪が前記電撃針を連動させて右へスライドさせ、且つ一定の距離まで出っ張らせ、即ち前記電撃針が前記第一空きチャンバから突き出て人体と接触して電撃を発生させることができる。
【０００６】
好ましくは、前記つまみ通電機構は前記主体の左側に位置しており、且つ左方に開口した電池チャンバを含み、前記電池チャンバの中には電池が取り付けられ、前記電池チャンバの右端壁には前記電池の正極と接触している正極接触ヘッドが固定的に設置され、前記正極接触ヘッドと前記集光ライトとの間には第一電線が通電できるように連結され、前記主体の左側の外面には雄ねじが固定的に設置され、前記主体の左端には捻りブロックが設置され、前記捻りブロックの中には前記雄ねじと噛み合っている雌ねじが設置され、前記捻りブロックの中には右方に開口した第二空きチャンバが設置され、前記第二空きチャンバの中には前記電池の負極と接触している負極接触ヘッドがスライドできるように設置され、前記負極接触ヘッドと前記第二空きチャンバの左端壁との間には第二ばねが連結され、前記電池チャンバの外側端壁には左方に開口した環状空きチャンバが設置され、前記環状空きチャンバの右端には第二環状導電ブロックが固定的に設置され、前記第二環状導電ブロックと前記正極接触ヘッドとの間には第二電線が上下対称的に通電できるように連結され、前記正極接触ヘッドの頂端に位置している前記第二電線には前記第一環状導電ブロックと接触している導電シートが通電できるように連結され、前記負極接触ヘッドの右端面には前記環状空きチャンバの中に挿入されることができる第三環状導電ブロックが固定的に設置され、
それにより、前記捻りブロックを回転させ、前記捻りブロックが右へスライドして前記負極接触ヘッドを押し、前記負極接触ヘッドが前記第三環状導電ブロックを右へスライド連動させて前記第二環状導電ブロックと接触させ、この時、前記電池の正極と負極とが連通されて電流を形成し、電流が前記第一電線により前記集光ライトに入り、それにより前記集光ライトが照明し始め、同時に電流が前記導電シートにより前記第一環状導電ブロックの中に入り、それにより前記電撃針が通電して危険から身を守ることができる。
【発明の効果】
【０００７】
以上により、本発明の護身懐中電灯は反応が速く、装置が簡単であり、同時に本発明装置を利用し、危険から身を守る時に相手の不意を撃ち、護身の効果がよく、安全で信頼できるのである。
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の護身懐中電灯の全体構成概略図
【図２】図２は図１の中のＡ―Ａの構成概略図
【図３】図３は図１の中のＢの拡大構成概略図
【図４】図４は図１の中のＣの拡大構成概略図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜４に示すように、本発明の護身懐中電灯は、主体５３を含み、前記主体５３の左端にはつまみ通電機構９０が設置され、前記主体５３の右側の表面にはスライドブロック２９がスライドできるように設置され、前記スライドブロック２９と前記主体５３の右端面との間がリミット空きチャンバ２６を形成し、前記リミット空きチャンバ２６の右端にはガラス電球カバー２１が固定的に設置され、前記スライドブロック２９には前記リミット空きチャンバ２６に連通しており、且つ右方に開口した第一空きチャンバ２８が上下対称的に設置され、前記主体５３の表面には前記第一空きチャンバ２８の中に位置している固定ブロック３８が上下対称的に固定的に設置され、前記固定ブロック３８の中には内に開口した第一回転チャンバ４３が設置され、前記第一回転チャンバ４３の中には回転軸４１が回転できるように設置され、前記回転軸４１には摩擦輪４２及び前記摩擦輪４２の前側に位置している第一リール４０が固定的に設置され、前記第一回転チャンバ４３の外側端壁には左右に貫通している第一スライド溝３９が連通するように設置され、前記第一空きチャンバ２８の左端壁には右方に開口した収納溝３６が設置され、前記収納溝３６と前記第一スライド溝３９との中には前記摩擦輪４２と接触している電撃針３７がスライドできるように設置され、前記収納溝３６の内側端壁には第一環状導電ブロック３５が固定的に設置され、前記主体５３の右側端壁には右方に開口した照明チャンバ２３が設置され、前記照明チャンバ２３の左端面には集光ライト２４が固定的に設置され、前記照明チャンバ２３の右端には散光片２２が固定的に設置され、前記照明チャンバ２３の上下端壁の中には第二回転チャンバ２７が対称的に設置され、二つの前記第二回転チャンバ２７の間には透光回転軸３０が回転できるように設置され、前記第二回転チャンバ２７の中に位置している前記透光回転軸３０にはギヤ３１及び前記ギヤ３１の外側に位置している第二リール３２が固定的に設置され、前記第二回転チャンバ２７と前記第一回転チャンバ４３との間には紐溝３４が連通するように設置され、前記第二リール３２と前記第一リール４０との間には前記紐溝３４を通した鋼線３３が連結され、前記照明チャンバ２３の頂端に位置している前記第二回転チャンバ２７の左端壁には右方に開口した第二スライド溝５１が設置され、前記第二スライド溝５１の中にはスライドロッド４８がスライドできるように設置され、前記スライドロッド４８の前端面には前記ギヤ３１と噛み合っているラック４９が固定的に設置され、前記第二スライド溝５１の左端壁には電磁石４６が固定的に設置され、前記スライドロッド４８の左端面には前記電磁石４６と互いに反発し合うことができる永久磁石５０が固定的に設置され、前記永久磁石５０と前記電磁石４６の右端面との間には第一ばね４７が連結され、前記主体５３の頂面には前記電磁石４６と通電できるように連結されているスイッチ４４が固定的に設置され、
従って、前記電磁石４６が前記永久磁石５０を排斥して前記ラック４９を右へスライド連動させ、前記ラック４９により前記摩擦輪４２が前記電撃針３７を連動させて右へスライドさせ、且つ一定の距離まで出っ張らせ、即ち前記電撃針３７が前記第一空きチャンバ２８から突き出て人体と接触して電撃を発生させることができる。
【００１２】
有益なように、前記つまみ通電機構９０は前記主体５３の左側に位置しており、且つ左方に開口した電池チャンバ１５を含み、前記電池チャンバ１５の中には電池１６が取り付けられ、前記電池チャンバ１５の右端壁には前記電池１６の正極と接触している正極接触ヘッド５４が固定的に設置され、前記正極接触ヘッド５４と前記集光ライト２４との間には第一電線２５が通電できるように連結され、前記主体５３の左側の外面には雄ねじ２０が固定的に設置され、前記主体５３の左端には捻りブロック１０が設置され、前記捻りブロック１０の中には前記雄ねじ２０と噛み合っている雌ねじ１１が設置され、前記捻りブロック１０の中には右方に開口した第二空きチャンバ１２が設置され、前記第二空きチャンバ１２の中には前記電池１６の負極と接触している負極接触ヘッド１３がスライドできるように設置され、前記負極接触ヘッド１３と前記第二空きチャンバ１２の左端壁との間には第二ばね１４が連結され、前記電池チャンバ１５の外側端壁には左方に開口した環状空きチャンバ１８が設置され、前記環状空きチャンバ１８の右端には第二環状導電ブロック１９が固定的に設置され、前記第二環状導電ブロック１９と前記正極接触ヘッド５４との間には第二電線５２が上下対称的に通電できるように連結され、前記正極接触ヘッド５４の頂端に位置している前記第二電線５２には前記第一環状導電ブロック３５と接触している導電シート４５が通電できるように連結され、前記負極接触ヘッド１３の右端面には前記環状空きチャンバ１８の中に挿入されることができる第三環状導電ブロック１７が固定的に設置され、
それにより、前記捻りブロック１０を回転させ、前記捻りブロック１０が右へスライドして前記負極接触ヘッド１３を押し、前記負極接触ヘッド１３が前記第三環状導電ブロック１７を右へスライド連動させて前記第二環状導電ブロック１９と接触させ、この時、前記電池１６の正極と負極とが連通されて電流を形成し、電流が前記第一電線２５により前記集光ライト２４に入り、それにより前記集光ライト２４が照明し始め、同時に電流が前記導電シート４５により前記第一環状導電ブロック３５の中に入り、それにより前記電撃針３７が通電して危険から身を守ることができる。
【００１３】
以下、出願人は付図及び以上に述べた本出願の護身懐中電灯の具体的な構成を参照してその使用方法を詳しく紹介する：
【００１４】
正常に照明を行う時、前記捻りブロック１０を回転させ、前記捻りブロック１０が右へスライドして前記負極接触ヘッド１３を押し、前記負極接触ヘッド１３が前記第三環状導電ブロック１７を右へスライド連動させて前記第二環状導電ブロック１９と接触させ、この時、前記電池１６の正極と負極とが連通されて電流を形成し、電流が前記第一電線２５により前記集光ライト２４に入り、それにより前記集光ライト２４がライトを出し、ライトが散光片２２を通して散乱した後に前記ガラス電球カバー２１を透過して照明を行い、反応が速いのである。
【００１５】
照明の時に被害に遭って危険から身を守る場合、前記スイッチ４４を押した後、前記電磁石４６と前記永久磁石５０とが互いに反発し合い、前記永久磁石５０が前記ラック４９を右へスライド連動させ、前記ラック４９が前記ギヤ３１と前記第二リール３２とを回転連動させ、前記第二リール３２が回転して前記鋼線３３を巻きつけて前記摩擦輪４２と前記第一リール４０とを回転連動させ、前記摩擦輪４２が前記電撃針３７を右へスライド連動させ、前記電撃針３７が右へスライドして前記第一スライド溝３９から出っ張り、前記スライドブロック２９が外力を受けて前記主体５３の表面に沿って左へスライドする時、前記電撃針３７が前記スライドブロック２９に対して右へスライドし、即ち、前記電撃針３７が前記第一空きチャンバ２８から突き出て人体と接触して電撃を発生させることができ、危険から身を守る作用を果たし、操作が簡単で、危険から身を守る時に相手の不意を撃つ。
【００１６】
前記スイッチ４４を押していない時、前記電撃針３７が通電しても、前記スライドブロック２９が圧力を受けて前記固定ブロック３８の右端面が人体と接触するので、電撃が発生しなく、装置は安全で信頼でき、同時に前記集光ライト２４が照明しない時、前記電撃針３７が通電しなく、二つの前記電撃針３７の間には放電の電弧が生じなく、装置の省エネルギー効果が顕著である。
【００１７】
以上により、本発明の護身懐中電灯は反応が速く、装置が簡単であり、同時に本発明装置を利用し、危険から身を守る時に相手の不意を撃ち、護身の効果がよく、安全で信頼できるのである。
【００１８】
上記はただ発明の具体的な実施方式であり、発明の保護範囲はこれだけに限定されたものではなく、創造的な労働を通じないで想到したすべての変化又は入れ替えは、発明の保護範囲にカバーずべきである。
【図１】
2020181797.tif 000003
【図２】
2020181797.tif 000004
【図３】
2020181797.tif 000005
【図４】
2020181797.tif 000006
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の左端にはつまみ通電機構が設置され、前記主体の右側の表面にはスライドブロックがスライドできるように設置され、前記スライドブロックと前記主体の右端面との間がリミット空きチャンバを形成し、前記リミット空きチャンバの右端にはガラス電球カバーが固定的に設置され、前記スライドブロックには前記リミット空きチャンバに連通しており、且つ右方に開口した第一空きチャンバが上下対称的に設置され、前記主体の表面には前記第一空きチャンバの中に位置している固定ブロックが上下対称的に固定的に設置され、前記固定ブロックの中には内に開口した第一回転チャンバが設置され、前記第一回転チャンバの中には回転軸が回転できるように設置され、前記回転軸には摩擦輪及び前記摩擦輪の前側に位置している第一リールが固定的に設置され、前記第一回転チャンバの外側端壁には左右に貫通している第一スライド溝が連通するように設置され、前記第一空きチャンバの左端壁には右方に開口した収納溝が設置され、前記収納溝と前記第一スライド溝との中には前記摩擦輪と接触している電撃針がスライドできるように設置され、前記収納溝の内側端壁には第一環状導電ブロックが固定的に設置され、前記主体の右側端壁には右方に開口した照明チャンバが設置され、前記照明チャンバの左端面には集光ライトが固定的に設置され、前記照明チャンバの右端には散光片が固定的に設置され、前記照明チャンバの上下端壁の中には第二回転チャンバが対称的に設置され、二つの前記第二回転チャンバの間には透光回転軸が回転できるように設置され、前記第二回転チャンバの中に位置している前記透光回転軸にはギヤ及び前記ギヤの外側に位置している第二リールが固定的に設置され、前記第二回転チャンバと前記第一回転チャンバとの間には紐溝が連通するように設置され、前記第二リールと前記第一リールとの間には前記紐溝を通した鋼線が連結され、上側の前記第二回転チャンバの左端壁には右方に開口した第二スライド溝が設置され、前記第二スライド溝の中にはスライドロッドがスライドできるように設置され、前記スライドロッドの前端面には前記ギヤと噛み合っているラックが固定的に設置され、前記第二スライド溝の左端壁には電磁石が固定的に設置され、前記スライドロッドの左端面には前記電磁石と互いに反発し合うことができる永久磁石が固定的に設置され、前記永久磁石と前記電磁石の右端面との間には第一ばねが連結され、前記捻りブロックと前記スライドブロックとの間の前記主体の上側には前記電磁石と通電できるように連結されているスイッチが固定的に設置され、
従って、前記電磁石が前記永久磁石を排斥して前記ラックを右へスライド連動させ、前記ラックにより前記摩擦輪が前記電撃針を連動させて右へスライドさせ、且つ一定の距離まで出っ張らせ、即ち前記電撃針が前記第一空きチャンバから突き出て人体と接触して電撃を発生させることができることを特徴とする護身懐中電灯。
【請求項２】
前記つまみ通電機構は前記主体の左側に位置しており、且つ左方に開口した電池チャンバを含み、前記電池チャンバの中には電池が取り付けられ、前記電池チャンバの右端壁には前記電池の正極と接触している正極接触ヘッドが固定的に設置され、前記正極接触ヘッドと前記集光ライトとの間には第一電線が通電できるように連結され、前記主体の左側の外面には雄ねじが固定的に設置され、前記主体の左端には捻りブロックが設置され、前記捻りブロックの中には前記雄ねじと噛み合っている雌ねじが設置され、前記捻りブロックの中には右方に開口した第二空きチャンバが設置され、前記第二空きチャンバの中には前記電池の負極と接触している負極接触ヘッドがスライドできるように設置され、前記負極接触ヘッドと前記第二空きチャンバの左端壁との間には第二ばねが連結され、前記電池チャンバの外側端壁には左方に開口した環状空きチャンバが設置され、前記環状空きチャンバの右端には第二環状導電ブロックが固定的に設置され、前記第二環状導電ブロックと前記正極接触ヘッドとの間には第二電線が上下対称的に通電できるように連結され、上側の前記第二電線には前記第一環状導電ブロックと接触している導電シートが通電できるように連結され、前記負極接触ヘッドの右端面には前記環状空きチャンバの中に挿入されることができる第三環状導電ブロックが固定的に設置され、それにより、前記捻りブロックを回転させ、前記捻りブロックが右へスライドして前記負極接触ヘッドを押し、前記負極接触ヘッドが前記第三環状導電ブロックを右へスライド連動させて前記第二環状導電ブロックと接触させ、この時、前記電池の正極と負極とが連通されて電流を形成し、電流が前記第一電線により前記集光ライトに入り、それにより前記集光ライトが照明し始め、同時に電流が前記導電シートにより前記第一環状導電ブロックの中に入り、それにより前記電撃針が通電して危険から身を守ることができることを特徴とする請求項１に記載の護身懐中電灯。
【手続補正２】
【補正対象書類名】明細書
【補正対象項目名】全文
【補正方法】変更
【補正の内容】
【発明の詳細な説明】
【技術分野】
【０００１】
本発明は懐中電灯分野に関わり、具体的には護身懐中電灯である。
【背景技術】
【０００２】
普通の懐中電灯は構成が簡単で、機能が単一で、夜は一番被害に遭いやすい時であり、被害者が強盗又は下手人を見た時、鞄の中からスタンガンなどの護身用品を取り出した時はすでに手遅れであり、そのため、照明すると同時に護身の機能を提供できる懐中電灯が必要となり、また懐中電灯は日用品として、つけられた護身機能が安全で信頼でき、操作が簡単なのが好ましく、従って、護身懐中電灯を設計して上記問題を解決する必要がある。
【先行技術文献】
【特許文献】
【０００３】
【特許文献１】中国特許出願公開第１０１７９９１１９号明細書
【発明の概要】
【発明が解決しようとする課題】
【０００４】
本発明の解決しようとする技術問題は護身懐中電灯を提供し、既存技術にある上記問題を解決するのである。
【課題を解決するための手段】
【０００５】
本発明は以下の技術プランにより実現される：本発明の護身懐中電灯は、主体を含み、前記主体の左端にはつまみ通電機構が設置され、前記主体の右側の表面にはスライドブロックがスライドできるように設置され、前記スライドブロックと前記主体の右端面との間がリミット空きチャンバを形成し、前記リミット空きチャンバの右端にはガラス電球カバーが固定的に設置され、前記スライドブロックには前記リミット空きチャンバに連通しており、且つ右方に開口した第一空きチャンバが上下対称的に設置され、前記主体の表面には前記第一空きチャンバの中に位置している固定ブロックが上下対称的に固定的に設置され、前記固定ブロックの中には内に開口した第一回転チャンバが設置され、前記第一回転チャンバの中には回転軸が回転できるように設置され、前記回転軸には摩擦輪及び前記摩擦輪の前側に位置している第一リールが固定的に設置され、前記第一回転チャンバの外側端壁には左右に貫通している第一スライド溝が連通するように設置され、前記第一空きチャンバの左端壁には右方に開口した収納溝が設置され、前記収納溝と前記第一スライド溝との中には前記摩擦輪と接触している電撃針がスライドできるように設置され、前記収納溝の内側端壁には第一環状導電ブロックが固定的に設置され、前記主体の右側端壁には右方に開口した照明チャンバが設置され、前記照明チャンバの左端面には集光ライトが固定的に設置され、前記照明チャンバの右端には散光片が固定的に設置され、前記照明チャンバの上下端壁の中には第二回転チャンバが対称的に設置され、二つの前記第二回転チャンバの間には透光回転軸が回転できるように設置され、前記第二回転チャンバの中に位置している前記透光回転軸にはギヤ及び前記ギヤの外側に位置している第二リールが固定的に設置され、前記第二回転チャンバと前記第一回転チャンバとの間には紐溝が連通するように設置され、前記第二リールと前記第一リールとの間には前記紐溝を通した鋼線が連結され、上側の前記第二回転チャンバの左端壁には右方に開口した第二スライド溝が設置され、前記第二スライド溝の中にはスライドロッドがスライドできるように設置され、前記スライドロッドの前端面には前記ギヤと噛み合っているラックが固定的に設置され、前記第二スライド溝の左端壁には電磁石が固定的に設置され、前記スライドロッドの左端面には前記電磁石と互いに反発し合うことができる永久磁石が固定的に設置され、前記永久磁石と前記電磁石の右端面との間には第一ばねが連結され、前記捻りブロックと前記スライドブロックとの間の前記主体の上側には前記電磁石と通電できるように連結されているスイッチが固定的に設置され、
従って、前記電磁石が前記永久磁石を排斥して前記ラックを右へスライド連動させ、前記ラックにより前記摩擦輪が前記電撃針を連動させて右へスライドさせ、且つ一定の距離まで出っ張らせ、即ち前記電撃針が前記第一空きチャンバから突き出て人体と接触して電撃を発生させることができる。
【０００６】
好ましくは、前記つまみ通電機構は前記主体の左側に位置しており、且つ左方に開口した電池チャンバを含み、前記電池チャンバの中には電池が取り付けられ、前記電池チャンバの右端壁には前記電池の正極と接触している正極接触ヘッドが固定的に設置され、前記正極接触ヘッドと前記集光ライトとの間には第一電線が通電できるように連結され、前記主体の左側の外面には雄ねじが固定的に設置され、前記主体の左端には捻りブロックが設置され、前記捻りブロックの中には前記雄ねじと噛み合っている雌ねじが設置され、前記捻りブロックの中には右方に開口した第二空きチャンバが設置され、前記第二空きチャンバの中には前記電池の負極と接触している負極接触ヘッドがスライドできるように設置され、前記負極接触ヘッドと前記第二空きチャンバの左端壁との間には第二ばねが連結され、前記電池チャンバの外側端壁には左方に開口した環状空きチャンバが設置され、前記環状空きチャンバの右端には第二環状導電ブロックが固定的に設置され、前記第二環状導電ブロックと前記正極接触ヘッドとの間には第二電線が上下対称的に通電できるように連結され、上側の前記第二電線には前記第一環状導電ブロックと接触している導電シートが通電できるように連結され、前記負極接触ヘッドの右端面には前記環状空きチャンバの中に挿入されることができる第三環状導電ブロックが固定的に設置され、
それにより、前記捻りブロックを回転させ、前記捻りブロックが右へスライドして前記負極接触ヘッドを押し、前記負極接触ヘッドが前記第三環状導電ブロックを右へスライド連動させて前記第二環状導電ブロックと接触させ、この時、前記電池の正極と負極とが連通されて電流を形成し、電流が前記第一電線により前記集光ライトに入り、それにより前記集光ライトが照明し始め、同時に電流が前記導電シートにより前記第一環状導電ブロックの中に入り、それにより前記電撃針が通電して危険から身を守ることができる。
【発明の効果】
【０００７】
以上により、本発明の護身懐中電灯は反応が速く、装置が簡単であり、同時に本発明装置を利用し、危険から身を守る時に相手の不意を撃ち、護身の効果がよく、安全で信頼できるのである。
【図面の簡単な説明】
【０００８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【０００９】
【図１】図１は本発明の護身懐中電灯の全体構成概略図
【図２】図２は図１の中のＡ―Ａの構成概略図
【図３】図３は図１の中のＢの拡大構成概略図
【図４】図４は図１の中のＣの拡大構成概略図
【発明を実施するための形態】
【００１０】
本説明書に開示したすべての特徴、または開示したすべての方法または過程中のステップは、互いに排斥する特徴と／またはステップ以外に、いずれもあらゆる方式で組み合わせることができる。
【００１１】
図１〜４に示すように、本発明の護身懐中電灯は、主体５３を含み、前記主体５３の左端にはつまみ通電機構９０が設置され、前記主体５３の右側の表面にはスライドブロック２９がスライドできるように設置され、前記スライドブロック２９と前記主体５３の右端面との間がリミット空きチャンバ２６を形成し、前記リミット空きチャンバ２６の右端にはガラス電球カバー２１が固定的に設置され、前記スライドブロック２９には前記リミット空きチャンバ２６に連通しており、且つ右方に開口した第一空きチャンバ２８が上下対称的に設置され、前記主体５３の表面には前記第一空きチャンバ２８の中に位置している固定ブロック３８が上下対称的に固定的に設置され、前記固定ブロック３８の中には内に開口した第一回転チャンバ４３が設置され、前記第一回転チャンバ４３の中には回転軸４１が回転できるように設置され、前記回転軸４１には摩擦輪４２及び前記摩擦輪４２の前側に位置している第一リール４０が固定的に設置され、前記第一回転チャンバ４３の外側端壁には左右に貫通している第一スライド溝３９が連通するように設置され、前記第一空きチャンバ２８の左端壁には右方に開口した収納溝３６が設置され、前記収納溝３６と前記第一スライド溝３９との中には前記摩擦輪４２と接触している電撃針３７がスライドできるように設置され、前記収納溝３６の内側端壁には第一環状導電ブロック３５が固定的に設置され、前記主体５３の右側端壁には右方に開口した照明チャンバ２３が設置され、前記照明チャンバ２３の左端面には集光ライト２４が固定的に設置され、前記照明チャンバ２３の右端には散光片２２が固定的に設置され、前記照明チャンバ２３の上下端壁の中には第二回転チャンバ２７が対称的に設置され、二つの前記第二回転チャンバ２７の間には透光回転軸３０が回転できるように設置され、前記第二回転チャンバ２７の中に位置している前記透光回転軸３０にはギヤ３１及び前記ギヤ３１の外側に位置している第二リール３２が固定的に設置され、前記第二回転チャンバ２７と前記第一回転チャンバ４３との間には紐溝３４が連通するように設置され、前記第二リール３２と前記第一リール４０との間には前記紐溝３４を通した鋼線３３が連結され、上側の前記第二回転チャンバ２７の左端壁には右方に開口した第二スライド溝５１が設置され、前記第二スライド溝５１の中にはスライドロッド４８がスライドできるように設置され、前記スライドロッド４８の前端面には前記ギヤ３１と噛み合っているラック４９が固定的に設置され、前記第二スライド溝５１の左端壁には電磁石４６が固定的に設置され、前記スライドロッド４８の左端面には前記電磁石４６と互いに反発し合うことができる永久磁石５０が固定的に設置され、前記永久磁石５０と前記電磁石４６の右端面との間には第一ばね４７が連結され、前記捻りブロック１０と前記スライドブロック２９との間の前記主体５３の上側には前記電磁石４６と通電できるように連結されているスイッチ４４が固定的に設置され、
従って、前記電磁石４６が前記永久磁石５０を排斥して前記ラック４９を右へスライド連動させ、前記ラック４９により前記摩擦輪４２が前記電撃針３７を連動させて右へスライドさせ、且つ一定の距離まで出っ張らせ、即ち前記電撃針３７が前記第一空きチャンバ２８から突き出て人体と接触して電撃を発生させることができる。
【００１２】
有益なように、前記つまみ通電機構９０は前記主体５３の左側に位置しており、且つ左方に開口した電池チャンバ１５を含み、前記電池チャンバ１５の中には電池１６が取り付けられ、前記電池チャンバ１５の右端壁には前記電池１６の正極と接触している正極接触ヘッド５４が固定的に設置され、前記正極接触ヘッド５４と前記集光ライト２４との間には第一電線２５が通電できるように連結され、前記主体５３の左側の外面には雄ねじ２０が固定的に設置され、前記主体５３の左端には捻りブロック１０が設置され、前記捻りブロック１０の中には前記雄ねじ２０と噛み合っている雌ねじ１１が設置され、前記捻りブロック１０の中には右方に開口した第二空きチャンバ１２が設置され、前記第二空きチャンバ１２の中には前記電池１６の負極と接触している負極接触ヘッド１３がスライドできるように設置され、前記負極接触ヘッド１３と前記第二空きチャンバ１２の左端壁との間には第二ばね１４が連結され、前記電池チャンバ１５の外側端壁には左方に開口した環状空きチャンバ１８が設置され、前記環状空きチャンバ１８の右端には第二環状導電ブロック１９が固定的に設置され、前記第二環状導電ブロック１９と前記正極接触ヘッド５４との間には第二電線５２が上下対称的に通電できるように連結され、上側の前記第二電線５２には前記第一環状導電ブロック３５と接触している導電シート４５が通電できるように連結され、前記負極接触ヘッド１３の右端面には前記環状空きチャンバ１８の中に挿入されることができる第三環状導電ブロック１７が固定的に設置され、
それにより、前記捻りブロック１０を回転させ、前記捻りブロック１０が右へスライドして前記負極接触ヘッド１３を押し、前記負極接触ヘッド１３が前記第三環状導電ブロック１７を右へスライド連動させて前記第二環状導電ブロック１９と接触させ、この時、前記電池１６の正極と負極とが連通されて電流を形成し、電流が前記第一電線２５により前記集光ライト２４に入り、それにより前記集光ライト２４が照明し始め、同時に電流が前記導電シート４５により前記第一環状導電ブロック３５の中に入り、それにより前記電撃針３７が通電して危険から身を守ることができる。
【００１３】
以下、出願人は付図及び以上に述べた本出願の護身懐中電灯の具体的な構成を参照してその使用方法を詳しく紹介する：
【００１４】
正常に照明を行う時、前記捻りブロック１０を回転させ、前記捻りブロック１０が右へスライドして前記負極接触ヘッド１３を押し、前記負極接触ヘッド１３が前記第三環状導電ブロック１７を右へスライド連動させて前記第二環状導電ブロック１９と接触させ、この時、前記電池１６の正極と負極とが連通されて電流を形成し、電流が前記第一電線２５により前記集光ライト２４に入り、それにより前記集光ライト２４がライトを出し、ライトが散光片２２を通して散乱した後に前記ガラス電球カバー２１を透過して照明を行い、反応が速いのである。
【００１５】
照明の時に被害に遭って危険から身を守る場合、前記スイッチ４４を押した後、前記電磁石４６と前記永久磁石５０とが互いに反発し合い、前記永久磁石５０が前記ラック４９を右へスライド連動させ、前記ラック４９が前記ギヤ３１と前記第二リール３２とを回転連動させ、前記第二リール３２が回転して前記鋼線３３を巻きつけて前記摩擦輪４２と前記第一リール４０とを回転連動させ、前記摩擦輪４２が前記電撃針３７を右へスライド連動させ、前記電撃針３７が右へスライドして前記第一スライド溝３９から出っ張り、前記スライドブロック２９が外力を受けて前記主体５３の表面に沿って左へスライドする時、前記電撃針３７が前記スライドブロック２９に対して右へスライドし、即ち、前記電撃針３７が前記第一空きチャンバ２８から突き出て人体と接触して電撃を発生させることができ、危険から身を守る作用を果たし、操作が簡単で、危険から身を守る時に相手の不意を撃つ。
【００１６】
前記スイッチ４４を押していない時、前記電撃針３７が通電しても、前記スライドブロック２９が圧力を受けて前記固定ブロック３８の右端面が人体と接触するので、電撃が発生しなく、装置は安全で信頼でき、同時に前記集光ライト２４が照明しない時、前記電撃針３７が通電しなく、二つの前記電撃針３７の間には放電の電弧が生じなく、装置の省エネルギー効果が顕著である。
【００１７】
以上により、本発明の護身懐中電灯は反応が速く、装置が簡単であり、同時に本発明装置を利用し、危険から身を守る時に相手の不意を撃ち、護身の効果がよく、安全で信頼できるのである。
【００１８】
上記はただ発明の具体的な実施方式であり、発明の保護範囲はこれだけに限定されたものではなく、創造的な労働を通じないで想到したすべての変化又は入れ替えは、発明の保護範囲にカバーずべきである。